(57)【要約】【課題】  工場現場などの出入り口に仮設される折り畳み式のパネルゲートにおいて、形状が単純で加工性がよく、且つゲートパネルが最も展張状態からの折り畳み作業が円滑に行うことができるパネルゲートを提供する。【解決手段】  少なくとも相対向して対となる二つのパネル５ａ、５ｂを、この各パネル５ａ、５ｂの内側両端部に設けたヒンジ６を介して折り畳み自在に結合しているパネルゲートＰにおいて、上記各パネル５ａ、５ｂの対向する面に上記パネルの内側面１５ａに対して鈍角となる角度の傾斜面１５ｃを長手方向に沿って形成し、上記傾斜面同士１５ｃ、１５ｃを当接させたとき、上記各パネル５ａ、５ｂが平面から見てＶ字状に当接することを特徴とする【選択図】  図１
2010127043.tif 000002
【特許請求の範囲】
【請求項１】
少なくとも相対向して対となる二つのパネルを、この各パネルの内側両端部に設けたヒンジを介して折り畳み自在に結合しているパネルゲートにおいて、上記各パネルの対向する面に上記パネルの内側面に対して鈍角となる角度の傾斜面を長手方向に沿って形成し、上記傾斜面同士を当接させたとき、上記各パネルが平面から見てＶ字状に当接することを特徴とするパネルゲート。
【請求項２】
上記各パネルが内側に長手方向に沿って溝を形成した上下左右の枠体と、上記各溝に上下左右の端部を嵌合させたパネル本体と、上記パネルの四隅コーナーに宛がった板状のコーナーブラケットとからなり、上記コーナーブラケットを介して上記パネル本体の四隅をボルトを利用して上記各枠体に結合している請求項１のパネルゲート。
【請求項３】
上記パネル本体が合成樹脂製の中空部材からなることを特徴とした請求項２のパネルゲート。
【請求項４】
ボルトが袋ナットとこの袋ナット内に移動自在に挿入したボルト本体とからなり、上記袋ナットは内周に螺子を形成した筒体と、この筒体の端に一体的に設けたナットフランジとからなり、上記ボルト本体は螺子ロッドとこの螺子ロッドの端部に一体に設けたボルトフランジとで構成されていることを特徴とした請求項２または３に記載のパネルゲート。
【発明の詳細な説明】
【技術分野】
【０００１】
本発明は、建築工事、土木工事等の工事現場などの出入り口に仮設される折り畳み式のパネルゲートに関するものである。
【背景技術】
【０００２】
パネルゲートは一般的に工事現場等を区画する間仕切りの道路に面した出入り口に開閉自在に設けられ、工事期間が終了するとパネルゲートは撤去される。パネルゲートが展張された状態にあるときに出入り口が閉じて工事現場等の目隠しとなり、パネルゲートが折り畳まれた状態にあるときに出入り口が開いて工事現場等と道路とを連通する。
【０００３】
このようなパネルゲートは、一般に横方向に列設した複数のパネルをヒンジを介して折り畳み自在に結合して屏風式に設けたものであり、通常は横方向に引き伸ばして工事現場等の出入り口を遮断して工事現場等の目隠しとなり、出入り口を使用する際にはパネルゲートを折り畳んでコンパクトに格納するようになっている。
【０００４】
更に上記のパネルゲートでは、ヒンジ結合された対となるパネルを平面からみて直線状になるまで展張せず、少し折った状態、つまり平面から見て外方に膨らんだ状態に組み付けられている。これにより対となるパネルに折癖がついた状態となり、パネルゲートを折り畳む際に、パネルが折り畳みたい方向と逆に折れ曲がることがなく、折癖に従って円滑に折り畳むことができるようになっている。
【０００５】
この場合、外方に膨らませるための具体的な構成として、パネルの四隅に宛がったコーナーブラケットのうち、一方のパネルのコーナーブラケットに傾斜したストッパを設け、このストッパを他方のパネルの端面に当接させることにより、上記対となるパネルが直線状になるまで開かないようにしている。
【０００６】
しかしながらこの方法にあっては、次のような不具合があり、改善が求められていた。第一に、対となるパネル間に上記ストッパが介在されることから、このストッパの幅分の隙間が上記対となるパネルの隣接部にできること、第二に、強風による外力が当接状態にあるコーナーブラケットのストッパ部分に集中し、このストッパが破損して内側に折れ曲がったり、パネルが歪んだりすることである。
【０００７】
特に、パネルゲートを展張させるたびに、上記ストッパと他方のパネルの端部とが当接し、その衝撃が常にこの当接部分に集中するため、パネルが部分的に破損する虞がある。
【０００８】
そこで、パネルゲートを展張したときに、対となるパネルの対向する面同士が接触することで、対となるパネルの隣接部に隙間ができず、強風による外力が作用しても一部分に負荷が集中することを防ぎ、パネルゲートの破損を防ぐことが可能なパネルゲートが提唱されている。
【０００９】
例えば、特許文献１に示すように、パネル本体たる嵌め板の上下、左右に枠体を嵌め込んで単一のパネルを形成し、上記左右の枠体の先端を半円状に湾曲させた縦材を使用し、隣接するパネルをこの縦材の湾曲面同士を折り畳み自在に当接させて、パネルゲートが最も展張された状態にあるときに両パネル間に隙間が発生しないようにしている。
【００１０】
また、このパネルゲートは折り畳む作動を円滑に行えるように、予めヒンジ結合される部分を外方に向けて若干膨らませている。
【００１１】
この膨らませる手段として、対となるパネルの縦材の対向する面の外側に突起を設けて、この突起同士を当接させたり（特許文献１の図１３）、対となるパネルが対向する端部を外側に折り曲げて、この折り曲げ部を当接させたり（特許文献１の図１４）している。
【特許文献１】特開２０００−３２０２６２  （図１３、図１４参照）
【発明の開示】
【発明が解決しようとする課題】
【００１２】
しかしながら、上記特許文献１に示すパネルゲートでは機能上特に欠陥があるわけではないが、次のような不具合の改善が望まれている。
【００１３】
つまり、パネルがパネル本体に複雑な湾曲面を備えた縦材を嵌め込み、更にこの縦材に突起を結合したり、曲げ加工したりする必要があり、部品点数や作業工数が多く、構造が複雑で、加工性、組付性、経済性に劣る。
【００１４】
そこで本発明は、上記不具合を解決するために創案されたものであって、その目的とするところは形状が単純で加工性が良く、強風などの外力が作用しても、この外力が一部に集中してパネルが破損することがなく、隣接するパネルの隣接部に隙間が発生せず、パネルゲートが最も展張状態にあるときでも対となるパネルが平面から見てＶ字状に当接して、折り畳み作業を円滑に行うことができるパネルゲートを提供することである。
【課題を解決するための手段】
【００１５】
本発明における課題解決手段は、少なくとも相対向して対となる二つのパネルを、この各パネルの内側両端部に設けたヒンジを介して折り畳み自在に結合しているパネルゲートにおいて、上記各パネルの対向する面に上記パネルの内側面に対して鈍角となる角度の傾斜面を長手方向に沿って形成し、上記傾斜面同士を当接させたとき、上記各パネルが平面から見てＶ字状に当接することを特徴とするものである。
【００１６】
この場合において、上記各パネルが内側に長手方向に沿って溝を形成した上下左右の枠体と、上記各溝に上下左右の端部を嵌合させたパネル本体と、上記パネルの四隅コーナーに宛がった板状のコーナーブラケットとからなり、上記コーナーブラケットを介して上記パネル本体の四隅をボルトを利用して上記各枠体に結合していることが好ましい。
【００１７】
また、上記パネル本体が合成樹脂製の中空部材からなることが好ましい。
【００１８】
同じく、ボルトが袋ナットとこの袋ナット内に移動自在に挿入したボルト本体とからなり、上記袋ナットは内周に螺子を形成した筒体と、この筒体の端に一体的に設けたナットフランジとからなり、上記ボルト本体は螺子ロッドとこの螺子ロッドの端部に一体に設けたボルトフランジとで構成されていることが好ましい。
【発明の効果】
【００１９】
請求項１に係わる発明にあっては、対となるパネルの対向する面に上記パネルの内側面に対して鈍角となる角度の傾斜面を長手方向に沿って形成し、上記傾斜面同士を当接させたとき、上記各パネルが平面から見てＶ字状に当接することから、パネルゲートが最も展張状態にあるときでも対となるパネルが平面から見てＶ字状に当接して、折り畳み作業を円滑に行うことができ、強風などの外力が作用しても、この外力が一部に集中してパネルが破損することがなく、隣接するパネルの隣接部に隙間が発生しない。
【００２０】
また、Ｖ字状に当接させるための構造が、対となるパネルの対向する面に上記パネルの内側面に対して鈍角となる角度の傾斜面を長手方向に沿って形成し、上記傾斜面同士を当接させることのみであることから、形状が単純で加工性、組付性、経済性において優れる。
【００２１】
請求項２に係わる発明にあっては、パネルを枠体とコーナーブラケットに分解することが可能であり利便性が良い。つまり、パネルゲートは工事現場を区画する間仕切りの出入り口に使用され、道路と面して設けられることが多い。このため、パネルゲートに人や物がぶつかることがあり、パネルゲートを構成する部品のうち特にパネル本体が破損する場合が多い。よって、パネル本体が破損した場合には、パネルからパネル本体のみを交換することが可能となり、破損していない部品を継続して使用することが可能であり、無駄がなく使用上のコストを低減することができ、経済性において優れる。
【００２２】
請求項３に係わる発明にあっては、パネル本体を合成樹脂製の中空部材で形成することによりパネル本体を軽量化し、これによってパネルゲート全体を軽量化することが可能となる。パネルゲートを軽くすることにより、パネルゲートを組み立てる際の作業性が向上する。また、軽量化されることによって、パネルを支える部材、つまり走行棒や、走行棒とパネルとの連結部材や、対となるパネルを結合するヒンジや、対となるパネルの対向する面等にかかる負荷を軽減することが可能となり、ひいてはパネルゲートの破損を抑制し、長期的に使用することが可能となる。
【００２３】
請求項４に係わる発明にあっては、ボルトが袋ナットとこの袋ナット内に移動自在に挿入したボルト本体とからなり、ボルト及びボルトにより結合された部材を壊すことなく、結合状態を解除することができる。
【００２４】
よって、上記ボルト及びボルトにより結合された部材を分解して再利用することが可能となり、無駄がなく使用上のコストを低減することができ、経済性において優れる。
【００２５】
また、上記構成を備えることにより、パネルの破損を抑制することが可能となる。つまり、袋ナットを使用することにより、パネル本体に形成するボルトを挿通するための挿通孔が拡径され、上記挿通孔内周と挿通する袋ナット外周との接触面積が増す。これにより、ボルトとパネル本体との間に振動などによって摩擦が発生した際、挿通孔内周面にかかる圧力が分散する。即ち、挿通孔内周面の単位面積あたりに加わる圧力が減少し、上記圧力により挿通孔に割れが生じるなどの不具合を低減することが可能となり、パネルの破損を抑制する効果がある。
【発明を実施するための最良の形態】
【００２６】
本発明におけるパネルゲートの実施の形態について、図面を参照しながら説明する。なお、以下の説明において、図中下側を外方側、図中上側を内方側とし、パネルゲートにおいて外方側に対向する面を外側面、内方側に対向する面を内側面とする。また、いくつかの図面を通して付された同じ記号及び数字は、同じ部品かまたはそれに対応する部品を示す。
【００２７】
図１は、本発明におけるパネルゲートの第一の実施の形態の斜視図である。図２は、本発明におけるパネルゲートの部分拡大斜視図である。図３は、本発明におけるパネルゲートの部分拡大横断面図である。図４は、本発明におけるパネルゲートの枠体の拡大断面である。図５は、本発明におけるパネルゲートの第二の実施の形態の斜視図である。
【００２８】
本発明に係わるパネルゲートは、少なくとも相対向して対となる二つのパネル５ａ、５ｂを、この各パネル５ａ、５ｂの内側両端部に設けたヒンジ６を介して折り畳み自在に結合され、上記各パネル５ａ、５ｂの対向する面に上記各パネル５ａ、５ｂの内側面に対して鈍角となる角度の傾斜面１５ｃを長手方向に沿って形成し、上記傾斜面同士１５ｃ、１５ｃを当接させたとき、上記各パネル５ａ、５ｂが平面から見てＶ字状に当接する。
【００２９】
まず、本発明における第一の実施の形態について図１を参照して説明する。図１は、工事現場等の間仕切りＭの出入り口に備えられた左右のパネルゲートＰ、Ｐが出入り口の中央で当接し、出入り口を閉じた状態を示す。間仕切りＭの出入り口の両端に支柱１、１を設け、それぞれの支柱１、１に左右のパネルゲートＰ、Ｐの一端を連結部材１０を介して回転可能に連結する。更に、上記各パネルゲートＰ、Ｐの他端の略中央部に取っ手２を設け、この取っ手２を持ってパネルゲートＰの開閉作業を行う。
【００３０】
左右のパネルゲートＰ、Ｐはそれぞれ、下端に車輪３を有した二本の走行棒４と、この走行棒４と走行棒４との間、及び走行棒４と上記支柱１との間に連結部材１０を介して回転可能に設けられ、ヒンジ６によって枢着され折り畳み自在に結合されている一対のパネル５ａ、５ｂとからなる。
【００３１】
上記各パネル５ａ、５ｂが内側に長手方向に沿って溝を形成した上下左右の枠体７と、上記各溝に上下左右の端部を嵌合させて中空な合成樹脂で矩形板状に形成したパネル本体８ａ、８ｂと、上記パネルの四隅コーナーに宛がった板状のコーナーブラケット９とからなり、上記コーナーブラケット９を介して上記パネル本体の四隅をボルトを利用して上記各枠体７に結合している。
【００３２】
上記枠体７はパネル本体８ａ、８ｂの上下端に嵌合し、矩形な断面形状を有する矩形枠体７ａ、７ｂと、対となるパネル５ａ、５ｂの対向する面、つまり左パネル５ａの右端及び右パネル５ｂの左端に嵌合し、上記対向する面に本発明の特徴である傾斜面１５ｃを有し、断面形状を台形とする台形枠体７ｃと、一対のパネル５ａ、５ｂの両端、つまり左パネル５ａの左端及び右パネル５ｂの右端に設けられ、断面形状を矩形とする矩形枠体７ｄとからなる。
【００３３】
特に本発明の特徴である上記台形枠体７ｃの詳細な構造について、図４を参照して説明する。図４は右のパネル５ｂの上記台形枠体７ｃの横断面図である。台形枠体７ｃの基本的な構造は、パネル本体８ａ、８ｂの端部に嵌合するための溝を有する嵌合部１６と、この嵌合部１６に設けたボルトを挿通して結合するための図３に示す挿通孔１７と、上記嵌合部１６に連設される中空の台形柱状に形成される外枠１５とからなる。
【００３４】
この外枠１５は、パネルゲートＰ内側に位置する内側面１５ａと、同外側に位置する外側面１５ｂと、対となるパネル５ａ、５ｂに対向する傾斜面１５ｃと、この傾斜面１５ｃに対向して外枠１５と嵌合部１６とを仕切り、パネル本体８ａ、８ｂの端部と対向する対向面１５ｄとを有してなる。
【００３５】
上記対向面１５ｄは内側面１５ａ及び外側面１５ｂと垂設しており、外側面１５ｂの幅は内側面１５ａの幅と比較して長くなっており、これによって内側面１５ａに対して鈍角となる、傾斜面１５ｃを台形枠体７ｃの長手方向に沿って形成する。
【００３６】
上記矩形枠体７ａ、７ｂ、７ｄにあっては図示しないが、上記台形枠体７ｃにおける外枠１５の断面形状が中空の台形ではなく、中空の矩形となっている点においてのみ異なり、他の形状及び作用は台形枠体７ｃと同様である。
【００３７】
図３のハッチングした図で示すように、パネルゲートＰが最も展張された状態にあるとき、対となるパネル５ａ、５ｂの対向する傾斜面同士１５ｃ、１５ｃが当接することにより、上記各パネル５ａ、５ｂが平面から見てＶ字状に当接し、このＶ字状に当接した当接部はパネルゲートＰの外側に向けて突出する。
【００３８】
パネルゲートＰが最も折り畳まれた際には、図３のハッチングしていない図で示す状態となり、パネルゲートＰは折り畳まれてコンパクトに収納される。
【００３９】
上記一対のパネル５ａ、５ｂの両端に設けられる矩形枠体７ｄは連結部材１０を介して走行棒４または支柱１に回転可能に結合される。
【００４０】
上記連結部材１０は、一枚のパネルの矩形枠体７ｄを連結するために、矩形枠体７ｄの上部と下部に設けられ、パネルゲートＰの開口端に位置しない走行棒４は二枚のパネルを連結するため、上下に二つずつ計四つの連結部材１０を備え、支柱１及びパネルゲートＰの開口端に位置する走行棒４は、連結するパネルが一枚であるため、上下に二つの連結部材１０を備えてなる。
【００４１】
上記各連結部材１０の連結方法は同様であるため、ここでは左パネル５ａの矩形枠体７ｄと走行棒４との間に介在する上方の連結部材１０について図２を参照して説明する。上記連結部材１０は、矩形枠体７ｄにボルトを用いて結合した筒状ブラケット１１と、走行棒４の上記筒状ブラケット１１に重なり合う位置に設けた筒体１２と、この筒体１２と上記筒状ブラケット１１とを連通し、回転可能に軸支するピン１３とからなる。
【００４２】
上記各部材をボルトを用いて結合するとき、ボルトは図３に示すように、袋ナット１８とこの袋ナット１８内に移動自在に挿入したボルト本体１４とからなり、上記袋ナット１８は内周に螺子を形成した筒体１８ａと、この筒体１８ａの端に一体的に設けたナットフランジ１８ｂとからなり、上記ボルト本体１４は螺子ロッド１４ａとこの螺子ロッド１４ａの端部に一体に設けたボルトフランジ１４ｂとで構成されている。
【００４３】
上記枠体７とパネル本体８ａ、８ｂとコーナーブラケット９は、それぞれが対向する位置にボルト本体１４を相通するための挿通孔１７を有する。よって、上記枠体７がパネル本体８ａ、８ｂの上下左右の端部に嵌合し、外側面のパネル５ａ、５ｂの四隅にコーナーブラケット９を宛がい、枠体７とパネル本体８ａ、８ｂとコーナーブラケット９のそれぞれに設けた対応する挿通孔１７に内側面から袋ナット１８を挿入し、外側面からボルト本体１４を螺合することによって、枠体７とパネル本体８ａ、８ｂとコーナーブラケット９とを固定する。
【００４４】
本発明においては、対となるパネル５ａ、５ｂの対向する面に上記各パネル５ａ、５ｂの内側面に対して鈍角となる角度の傾斜面１５ｃを長手方向に沿って形成し、上記傾斜面同士１５ｃ、１５ｃを当接させたとき、上記各パネル５ａ、５ｂが平面から見てＶ字状に当接することから、パネルゲートＰが最も展張状態にあるときでも対となるパネル５ａ、５ｂが平面から見てＶ字状に当接して、折り畳み作業を円滑に行うことができ、強風などの外力が作用しても、この外力が一部に集中してパネル５ａ、５ｂが破損することがなく、隣接するパネル５ａ、５ｂの隣接部に隙間が発生しない。
【００４５】
また、Ｖ字状に当接させるための構造が、対となるパネル５ａ、５ｂの対向する面に上記パネルの内側面に対して鈍角となる角度の傾斜面１５ｃを長手方向に沿って形成し、上記傾斜面同士１５ｃ、１５ｃを当接させることのみであることから、形状が単純で加工性、組付性、経済性において優れる。
【００４６】
この時、Ｖ字状に突出する対となるパネル５ａ、５ｂの当接部を、ゲートパネルＰにより区画する区画領域の外方側に設けることで、外方側から風が当たった場合にパネルゲートＰが倒れにくくなる。
【００４７】
つまり、対となるパネル５ａ、５ｂの対向する面、つまりそれぞれの傾斜面１５ｃ、１５ｃが当接して外方側に突出して山になっているのに対し、対となるパネル５ａ、５ｂの両側に位置する矩形枠体７ｄ、７ｄの走行棒及び支柱との連結部分は内方側に凹んで谷となっている。外方側から風がパネルゲートＰに当たった場合、風は谷となる対となるパネル５ａ、５ｂの両側の連結部分で滞留する。このとき、対となるパネル５ａ、５ｂの両側は走行棒４及び支柱１と上下部にそれぞれ設けた連結部材１０によって結合されているため、連結部材１０以外の部分に隙間を有し、滞留した風をこの隙間から逃がすことができる。つまり、対となるパネル５ａ、５ｂが当接状態にあっても、この当接部を風の当たる外方側に突出させることで、谷となる上記連結部材１０の隙間から風を逃がしてパネルゲートＰを倒れにくくすることが可能となる。
【００４８】
次に、各パネル５ａ、５ｂが内側に長手方向に沿って溝を形成した上下左右の枠体７と、上記各溝に上下左右の端部を嵌合させたパネル本体８ａ、８ｂと、上記パネル５ａ、５ｂの四隅コーナーに宛がった板状のコーナーブラケット９とからなり、上記コーナーブラケット９を介して上記パネル本体８ａ、８ｂの四隅をボルトを利用して上記各枠体７に結合していることにより、各パネル５ａ、５ｂを枠体７とコーナーブラケット９と左右のパネル本体８ａ、８ｂに分解することが可能であり利便性が良い。つまり、パネルゲートＰは工事現場を区画する間仕切りＭの出入り口に使用され、道路と面して設けられることが多い。このため、パネルゲートＰに人や物がぶつかることがあり、パネルゲートＰを構成する部品のうち特にパネル本体８ａ、８ｂが破損する場合が多い。よって、パネル本体８ａ、８ｂが破損した場合には、パネル５ａ、５ｂからパネル本体８ａ、８ｂのみを交換することが可能となり、破損していない部品を継続して使用することが可能であり、無駄がなく使用上のコストを低減することができる。
【００４９】
次に、各パネル本体８ａ、８ｂを合成樹脂製の中空部材で形成することにより各パネル本体８ａ、８ｂを軽量化し、これによってパネルゲートＰ全体を軽量化することが可能となる。パネルゲートＰを軽くすることにより、パネルゲートＰを組み立てる際の作業性が向上する。また、軽量化されることによって、パネル５ａ、５ｂを支える部材、つまり走行棒４や、支柱１や、走行棒４及び支柱１とパネル５ａ、５ｂとの連結部材１０や、対となるパネル５ａ、５ｂをヒンジ結合するヒンジ６、対となるパネル５ａ、５ｂの対向する傾斜面１５ｃ等にかかる負荷を軽減することが可能となり、ひいてはパネルゲートＰの破損を抑制し、長期的に使用可能とする効果がある。
【００５０】
次に、各パネル５ａ、５ｂの枠体７の外枠１５を中空部材とすることで、パネルゲートＰを設置するためのコストを削減するとともに、軽量化することが可能となり、これによる効果は上記軽量化による効果と同様である。
【００５１】
次に、ボルトが袋ナット１８とこの袋ナット１８内に移動自在に挿入したボルト本体１４とからなることから、ボルト及びボルトにより結合された部材を壊すことなく、結合状態を解除することができる。
【００５２】
よって、上記ボルト及びボルトにより結合された部材を再利用することが可能であり、経済性が良い。
【００５３】
また、上記構成を備えることにより、パネル５ａ、５ｂの破損を抑制することが可能となる。
【００５４】
つまり、袋ナット１８を使用することにより、パネル本体８ａ、８ｂに形成するボルトを挿通するための挿通孔１７が拡径され、上記挿通孔１７内周と挿通する袋ナット１８外周との接触面積を増すことが可能になる。これにより、ボルトとパネル本体８ａ、８ｂとの間に、振動などによって摩擦が発生した際の挿通孔１７内周面にかかる圧力が分散する。即ち、挿通孔１７内周面の単位面積あたりに加わる圧力が減少することから、上記圧力により挿通孔１７に割れが生じるなどの不具合を低減することが可能となり、パネル５ａ、５ｂの破損を抑制する効果がある。
【００５５】
また、内側面から挿入する袋ナット１８のナットフランジ１８ｂの厚みを、ヒンジ６の取り付け部（符示せず）の厚みと同等かこの厚みよりも薄くすることにより、パネルゲートＰを折り畳んだときにナットフランジ１８ｂが接触することなく、コンパクトに収納することが可能となる。
【００５６】
次に、本発明の第二の実施の形態について、図５に従い説明する。図５に示すパネルゲートＰは、上述の本発明の第一の実施の形態のパネルゲートを吊り下げ式に変更したものである。
【００５７】
つまり、パネルゲートＰを吊り下げるための鳥居状に形成した支持枠１９を工事現場等の間仕切りの出入り口に設け、走行棒４の上端に設けた車輪３を介して、左右のパネルゲートＰ、Ｐが開閉自在に設けられている。パネルゲートＰの支柱１は走行棒４と同様に車輪３を介して支持枠１９に移動自在に設けられる。これ以外の構成、効果については第一の実施の形態と重複するため、同様な部分についての詳細な説明は省略する。
【００５８】
上記構成においては、左右のパネルゲートＰ、Ｐをこの左右のパネルゲートＰ、Ｐの対向する当接部つまり出入り口の中央から開いたり、左右のパネルゲートＰ、Ｐを一体として出入り口の図中左側から開いたり、右側から開いたりすることが可能となる。
【００５９】
第二の実施の形態における上記支持枠１９は、左右の支柱２０とパネルゲートＰ吊り下げ用の吊り下げ棒２１とからなり、この吊り下げ棒２１に設けられたレール（符示せず）を走行棒４が移動する。よって、上記レールに沿ってパネルゲートを折り畳んだり、展張したりすることが可能となる。
【００６０】
この場合においては、パネルゲートＰの全重量及び、パネルゲートＰが風に煽られたり、人や物がパネルゲートにぶつかったりする衝撃による負荷を支持枠１９が支えることとなる。
【００６１】
よって、支持枠１９の負荷を軽減して、支持枠１９の破損を防ぎ長期的にパネルゲートＰを使用するためには、パネルゲートＰを軽量化することが必須である。つまり、第二の実施の形態においては、枠体７の外枠１５を中空部材とすることや、パネル本体８ａ、８ｂを中空の合成樹脂で形成することによる軽量化の効果がより顕著である。
【００６２】
以上、本発明の好ましい実施の形態を詳細に説明したが、特許請求の範囲から逸脱することなく改造、変形及び変更が行うことができることは理解すべきである。
【００６３】
例えば、本発明の実施の形態において、工事現場等の間仕切りＭの出入り口に左右のパネルゲートＰ、Ｐを備えた構造としているが、一枚のパネルゲートＰとしてももちろん良い。
【００６４】
更に、パネルゲートＰは二本の走行棒４と、走行棒４と走行棒４との間と走行棒４と支柱１との間に回転自在に配在される二対の対となるパネル５ａ、５ｂとで構成しているが、走行棒４の数及び対となるパネルの枚数は適宜選択すればよい。
【００６５】
更に、本発明の実施の形態において、一対のパネル５ａ、５ｂの対向する面全域に傾斜面１５ｃ、１５ｃを設けているが、部分的に傾斜面１５ｃを設けて当接させるとしても良い。
【００６６】
更に、各パネル５ａ、５ｂが上下左右の枠体７と、左右のパネル本体８ａ、８ｂと、コーナーブラケット９とで構成され、それぞれがボルトにより結合された構造としているが、各パネル５ａ、５ｂを一枚板によって構成してヒンジ結合するとしても良い。
【００６７】
また、上記各パネル５ａ、５ｂはヒンジ６によって枢着するとしているが、結合部を軸として回転可能に連結されていれば良く、ヒンジ以外の部材によって連結するとしても良い。
【００６８】
更に、ボルトを用いて結合する際に、袋ナット１８とボルト本体１４を使用するとしているが、袋ナット１８を筒体とナットに分けて上記袋ナット１８に相当する効果を得ることも可能である。また、市販のナット、ボルト、ワッシャ等を使用するとしてももちろん良い。
【００６９】
また、六角柱状に形成したナットフランジ１８ｂを有する袋ナットを内側面から挿入し、扁平な半球状に形成したボルトフランジ１４ｂを有するボルト本体１４を外側面から螺合することによって、道路などに面するパネルゲートＰの外方からパネルゲートＰを分解し難くし、パネルゲートＰの盗難を防止することが可能となる。
【００７０】
更に、パネル本体８ａ、８ｂを中空の合成樹脂で形成しているが、必ずしもこの必要はなく、アルミ板等を使用することももちろん可能である。また、パネルゲートＰに目隠しとしての性能を付与する必要性がないときには網状の部材を使用するとしても良く、目隠ししたい部分に板状の部材を使用し、それ以外の部分に網状の部材を使用するなど、組み合わせて使用するとしてももちろん良い。
【００７１】
また、パネル本体８ａ、８ｂを自己消火性を持つ合成樹脂で形成することにより、耐火性に優れたパネルゲートＰを提供することが可能となる。
【００７２】
更に、上下左右の枠体７の外枠１５を中空部材としているが、必ずしも中空である必要はない。特に、パネルゲートＰを展張した際に当接する台形枠体７ｃの外枠１５においては、強度を持たせるため台形柱状に外枠１５を形成するとしても良い。
【図面の簡単な説明】
【００７３】
【図１】本発明におけるパネルゲートの第一の実施の形態の斜視図
【図２】本発明におけるパネルゲートの部分拡大斜視図
【図３】本発明におけるパネルゲートの部分拡大横断面図
【図４】本発明におけるパネルゲートの枠体の拡大断面
【図５】本発明におけるパネルゲートの第二の実施の形態の斜視図
【符号の説明】
【００７４】
Ｍ  間仕切り
Ｐ  パネルゲート
１  支柱
２  取っ手
３  車輪
４  走行棒
５  パネル
６  ヒンジ
７  枠体
８  パネル本体
９  コーナーブラケット
１０  連結部材
１１  筒状ブラケット
１２  筒体
１３  ピン
１４  ボルト本体
１５  外枠
１６  嵌合部
１７  挿通孔
１８  袋ナット
１９  支持枠
２０  支柱
２１  吊り下げ棒
【図１】
2010127043.tif 000003
【図２】
2010127043.tif 000004
【図３】
2010127043.tif 000005
【図４】
2010127043.tif 000006
【図５】
2010127043.tif 000007
【手続補正書】
【提出日】平成20年12月9日(2008.12.9)
【手続補正１】
【補正対象書類名】図面
【補正対象項目名】図３
【補正方法】変更
【補正の内容】
【図３】
2010127043.tif 000008